【手続補正書】
【提出日】平成16年8月9日(2004.8.9)
【手続補正１】
【補正対象書類名】明細書
【補正対象項目名】特許請求の範囲
【補正方法】変更
【補正の内容】
【特許請求の範囲】
【請求項１】  ガン、感染症、免疫機能不全、アレルギー、免疫抑制、自己免疫疾患、過敏症疾患、宿主対移植片疾患または子宮内膜症からなる群から選択される患者の状態を治療または予防するための、性ステロイドシグナル伝達を途絶する化合物からなる治療剤。
【請求項２】  患者の自己免疫疾患を治療または予防するための、性ステロイドシグナル伝達を途絶する化合物からなる治療剤。
【請求項３】  患者のＴ細胞が枯渇された、または枯渇される、請求項２記載の治療剤。
【請求項４】  自己反応性Ｔ細胞が枯渇された、または枯渇される、請求項２または３記載の治療剤。
【請求項５】  Ｔ細胞が、化学療法または照射線により枯渇された、または枯渇される、請求項３または４記載の治療剤。
【請求項６】  患者が、骨髄細胞移植を受けた、または受ける、請求項２ないし５のいずれか一項に記載の治療剤。
【請求項７】  患者においてガンを治療または予防するための、性ステロイドシグナル伝達を途絶する化合物からなる治療剤。
【請求項８】  患者において性ホルモン応答性でないガンを治療または予防するための、性ステロイドシグナル伝達を途絶する化合物からなる治療剤。
【請求項９】  患者において前立腺ガンまたは乳ガン以外のガンを治療または予防するための、性ステロイドシグナル伝達を途絶する化合物からなる治療剤。
【請求項１０】  患者が、化学療法および／または放射線療法および／または骨髄細胞移植に曝された、または曝される、請求項７ないし９のいずれか一項に記載の治療剤。
【請求項１１】  患者においてヒト免疫不全ウイルス感染を治療または予防するための、性ステロイドシグナル伝達を途絶する化合物からなる治療剤。
【請求項１２】  患者においてヒト免疫不全ウイルスではない感染因子により引き起こされた状態を治療または予防するための、性ステロイドシグナル伝達を途絶する化合物からなる治療剤。
【請求項１３】  患者において宿主対移植片反応を治療または予防するための、性ステロイドシグナル伝達を途絶する化合物からなる治療剤。
【請求項１４】  患者のＴ細胞が枯渇された、または枯渇される、請求項１３記載の治療剤。
【請求項１５】  患者が、ドナーからの幹細胞および／または骨髄細胞移植を受けた、または受ける、請求項１３または１４記載の治療剤。
【請求項１６】  ドナー由来の樹状細胞またはその前駆細胞の移植を受けた患者において前記ドナー由来の樹状細胞の数を増やすための、性ステロイドシグナル伝達を途絶する化合物からなる治療剤。
【請求項１７】  患者の胸腺におけるドナー由来の樹状細胞の数を増加する、請求項１６記載の治療剤。
【請求項１８】  患者のＴ細胞が枯渇された、または枯渇される、請求項１６または１７記載の治療剤。
【請求項１９】  患者において宿主およびドナー細胞のキメラを産生するための、性ステロイドシグナル伝達を途絶する化合物からなる治療剤。
【請求項２０】  ドナー細胞がリンパ系細胞またはその前駆細胞である、請求項１９記載の治療剤。
【請求項２１】  リンパ系細胞がＴ細胞および／または樹状細胞である、請求項２０記載の治療剤。
【請求項２２】  ドナー細胞が造血性前駆細胞である、請求項１９記載の治療剤。
【請求項２３】  ドナー細胞が骨髄細胞である、請求項１９記載の治療剤。
【請求項２４】  患者のＴ細胞が枯渇された、または枯渇される、請求項１９ないし２３のいずれか一項に記載の治療剤。
【請求項２５】  胸腺に対する性ステロイドシグナル伝達を途絶する免疫反応を生じない抗原に対する患者の免疫反応を増強するための、性ステロイドシグナル伝達を途絶する化合物からなる治療剤。
【請求項２６】  患者が抗原に曝された、または曝される、請求項２５記載の治療剤。    【請求項２７】  抗原が感染因子または腫瘍細胞から誘導される、請求項２５記載の治療剤。
【請求項２８】  患者がガンを有する、請求項２８記載の治療剤。
【請求項２９】  患者が感染症を有する、請求項２８記載の治療剤。
【請求項３０】  抗原がＨＳＶ抗原である、請求項２６または２９記載の治療剤。
【請求項３１】  抑制された、または異常なＴ細胞集団または機能を有する患者においてＴ細胞集団構成を変更する、またはＴ細胞の数を増加するための、性ステロイドシグナル伝達を途絶する化合物からなる治療剤。
【請求項３２】  Ｔ細胞集団構成の変更が、機能的に定義されたＴ細胞サブセットの性質および／または比率の変化により、および／またはＴ細胞レセプターＣＤ４、ＣＤ８、ＣＤ３、ＣＤ２５、ＣＤ２８、ＣＤ４４、ＣＤ６２ＬおよびＣＤ６９からなる群から選択される特徴分子の発現により特徴付けされる、請求項３１記載の治療剤。
【請求項３３】  患者におけるＴ細胞の数の増加が、別のリンパ系細胞と比較して、Ｔ細胞数の相対的増加をもたらす、請求項３１または３２記載の治療剤。
【請求項３４】  別のリンパ系細胞がＢ細胞である、請求項３３記載の治療剤。
【請求項３５】  ＣＤ８＋Ｔ細胞の全体的および／または相対的な数、および／または増殖能が増加する、請求項３１ないし３４のいずれか一項に記載の治療剤。
【請求項３６】  患者の末梢におけるＣＤ２５＋ＣＤ８＋Ｔ細胞の全体的および／または相対的な数が増加する、請求項３１ないし３５のいずれか一項に記載の治療剤。
【請求項３７】  患者の末梢におけるＣＤ４＋Ｔ細胞の全体的および／または相対的な数が増加する、請求項３１ないし３６のいずれか一項に記載の治療剤。
【請求項３８】  患者におけるナイーブＴ細胞の全体的および／または相対的な数が増加する、請求項３１ないし３７のいずれか一項に記載の治療剤。
【請求項３９】  Ｔ細胞レセプター多様性が増加する、請求項３１ないし３８のいずれか一項に記載の治療剤。
【請求項４０】  胸腺アウトプットが増加する、請求項３１ないし３９のいずれか一項に記載の治療剤。
【請求項４１】  前記化合物が胸腺への性ステロイドシグナル伝達を途絶する、請求項１ないし４０のいずれか一項に記載の治療剤。
【請求項４２】  患者が思春期後である、請求項１ないし４１のいずれか一項に記載の治療剤。
【請求項４３】  患者がヒトである、請求項１ないし４２のいずれか一項に記載の治療剤。
【請求項４４】  前記化合物が、ユーレキシン、ジオキサラン誘導体、および黄体化ホルモン放出ホルモンアナログからなる群から選択される、請求項１ないし４３のいずれか一項に記載の治療剤。
【請求項４５】  黄体化ホルモン放出ホルモンアナログが、トリプトレリン、メテレリン、ブセレリン、ヒストレリン、ナファレリン、ルトレリン、ロイプロレリン、ゴセレリン、ロイプロリド、およびデスロレリンからなる群から選択される、請求項４４記載の治療剤。
【請求項４６】  アジュバント、抗原、および黄体化ホルモン放出ホルモンアナログを含み、前記抗原が胸腺に対する性ステロイドシグナル伝達を途絶する患者の免疫応答を引き起こさない、患者における抗原に対する免疫応答を増強するための組成物。
【手続補正２】
【補正対象書類名】図面
【補正対象項目名】図１７
【補正方法】変更
【補正の内容】
【図１７】
2002542174.tif 000001
【手続補正３】
【補正対象書類名】図面
【補正対象項目名】図１８
【補正方法】変更
【補正の内容】
【図１８】
2002542174.tif 000002
【手続補正４】
【補正対象書類名】図面
【補正対象項目名】図１９
【補正方法】変更
【補正の内容】
【図１９】
2002542174.tif 000003
【手続補正５】
【補正対象書類名】図面
【補正対象項目名】図２０
【補正方法】変更
【補正の内容】
【図２０】
2002542174.tif 000004
【手続補正６】
【補正対象書類名】図面
【補正対象項目名】図２１
【補正方法】変更
【補正の内容】
【図２１】
2002542174.tif 000005
【手続補正７】
【補正対象書類名】図面
【補正対象項目名】図２２
【補正方法】変更
【補正の内容】
【図２２】
2002542174.tif 000006